(57)【要約】【課題】  ＣＤ用とＤＶＤ用レーザを用いてBD、HD DVD、CD、DVD を判別する。【解決手段】  メモリ92にCD用ビームに対するCD、DVD 、BD、HD DVDの反射率の分布範囲を記憶しておく。コントローラ90は各部をCDモードとし、光ディスク１にCD用ビームを照射させてサーボ回路82にフォーカスサーチをさせRF信号のピークから光ディスク反射率を計測し、BD(HD DVD)のみの分布範囲に入っているときBD(HD DVD)と判別する。HD DVDとDVD の各分布範囲の重なりのみに入っているときは、DVD モードにてフォーカスとトラッキングのサーボオン制御をし、失敗（成功）ならHD DVD(DVD) と判別する。HD DVDとDVD とCDの各分布範囲の重なりに入っているときは、各部をCDモードに切り換えてサーボオン制御をし、成功ならCDと判別し、失敗ならDVD モードでフォーカスとトラッキングのサーボオン制御をし、成功( 失敗）ならDVD(HD DVD) と判別する。HD DVDと判別したとき「非対応のHD DVDです」と表示させる。【選択図】        図１
2008041113.tif 000002
【特許請求の範囲】
【請求項１】
光ビーム波長７８０ｎｍの第１の光ディスク、光ビーム波長６５０ｎｍの第２の光ディスクに対応する第１、第２のモードを含む複数モードに切り換えて共通の対物レンズを通して光ビームを照射し、反射ビームを検出可能な光ピックアップと、
対物レンズに対しフォーカスサーボとトラッキングサーボを掛けるサーボ手段と、
光ピックアップの出力から反射ビームレベル信号を作成する信号作成手段と、
光ディスクの種別を判別する光ディスク種別判別手段と、
を備え、
光ディスク種別判別手段は、
波長７８０ｎｍの光ビームに対する第１、第２の光ディスクと、第１、第２の光ディスク以外の所定の１または複数種の別種の光ディスクの種類別の反射率の分布範囲と光ディスクの種類を対応付けた反射率情報を記憶した記憶手段と、
光ピックアップを第１モードに切り換えて波長７８０ｎｍの光ビームを光ディスクに照射させた状態でサーボ手段にフォーカスサーチをさせたときの反射ビームレベル信号のピークから光ディスクの反射率を計測する計測手段と、
計測値を記憶手段の反射率情報と比較し、所定の１種類の別種光ディスクのみの分布範囲に入っているときは、当該所定の１種類の別種光ディスクと判別し、所定の１種類の別種光ディスクの分布範囲と第２の光ディスクの分布範囲の重なりのみに入っているときは、光ピックアップを第２のモードに切り換えた状態でサーボ手段に対しフォーカスサーボとトラッキングサーボオン制御をし、失敗したとき当該所定の１種類の別種光ディスクと判別し、所定の１種類の別種光ディスクの分布範囲と第１の光ディスクの分布範囲と第２の光ディスクの分布範囲の重なりに入っているときは、光ピックアップを第１のモードと第２のモードの両方に切り換えてフォーカスサーボとトラッキングサーボオン制御をし、両モードでフォーカスサーボとトラッキングサーボオンが失敗したとき当該所定の１種類の別種光ディスクと判別する判別制御手段と、
を含むこと、
を特徴とする光ディスク装置。
【請求項２】
光ビーム波長７８０ｎｍの第１の光ディスク、光ビーム波長６５０ｎｍの第２の光ディスクに対応する第１、第２のモードを含む複数モードに切り換えて共通の対物レンズを通して光ビームを照射し、反射ビームを検出可能な光ピックアップと、
対物レンズに対しフォーカスサーボとトラッキングサーボを掛けるサーボ手段と、
光ピックアップの出力から反射ビームレベル信号を作成する信号作成手段と、
波長７８０ｎｍの光ビームに対する第１、第２の光ディスクと、第１、第２の光ディスク以外の所定の１または複数種の別種の光ディスクの種類別の反射率の分布範囲と光ディスクの種類を対応付けた反射率情報を記憶した記憶手段と、
を設けておき、
光ピックアップを第１モードに切り換えて波長７８０ｎｍの光ビームを光ディスクに照射させた状態でサーボ手段にフォーカスサーチをさせたときの反射ビームレベル信号のピークから光ディスクの反射率を計測し、
計測値を記憶手段の反射率情報と比較し、所定の１種類の別種光ディスクのみの分布範囲に入っているときは、当該所定の１種類の別種光ディスクと判別し、所定の１種類の別種光ディスクの分布範囲と第２の光ディスクの分布範囲の重なりのみに入っているときは、光ピックアップを第２のモードに切り換えた状態でサーボ手段に対しフォーカスサーボとトラッキングサーボオン制御をし、失敗したとき当該所定の１種類の別種光ディスクと判別し、所定の１種類の別種光ディスクの分布範囲と第１の光ディスクの分布範囲と第２の光ディスクの分布範囲の重なりに入っているときは、光ピックアップを第１のモードと第２のモードの両方に切り換えてフォーカスサーボとトラッキングサーボオン制御をし、両モードでフォーカスサーボとトラッキングサーボオンが失敗したとき当該所定の１種類の別種光ディスクと判別するようにしたこと、
を特徴とする光ディスク装置の光ディスク種別判別方法。
【発明の詳細な説明】
【技術分野】
【０００１】
本発明は光ディスク装置、光ディスク装置の光ディスク種別判別方法に係り、とくに少なくとも使用波長７８０ｎｍと使用波長６５０ｎｍの２種類の光ディスクに対応した光ディスク装置、光ディスク装置の光ディスク種別判別方法に関する。
【背景技術】
【０００２】
従来より大容量で安価な記録媒体として、波長７８０ｎｍの赤色レーザを使用するＣＤ（コンパクトディスク）、波長６５０ｎｍの赤色レーザを使用するＤＶＤ（ディジタルバーサタイルディスク）が実用化されており、１つの対物レンズでＣＤとＤＶＤの両者に対応した光ピックアップも既に実用化されている。近年、ＣＤ、ＤＶＤで使用される赤色系より更に短い波長４０５ｎｍの青紫色レーザを使用する次世代ＤＶＤと呼ばれるＢＤ（ブルーレイディスク）、ＨＤ（High Definition ）  ＤＶＤという２種類の高密度ディスクが実用化された。ＢＤとＨＤ  ＤＶＤは反射率はほぼ同じであるが、表面から信号面までの光透過保護層の厚さが前者が０．１ｍｍ、後者が０．６ｍｍと大きく異なり、対物レンズ開口数ＮＡも前者が０．８５、後者が０．６５という具合に大きく異なっている。ＨＤ  ＤＶＤはＤＶＤの上位規格として開発されたものであり、ＤＶＤとＨＤ  ＤＶＤとで対物レンズ開口数はほぼ同じであるが（ＤＶＤの対物レンズ開口数＝０．６）、レーザ波長が異なる。因みに、ＣＤはレーザ波長（＝７８０ｎｍ）、対物レンズ開口数（＝０．４５）とも他のディスクと異なる。
【０００３】
ところで、１つの対物レンズ、１つの光ピックアップでＣＤとＤＶＤの両者の信号読み取りを可能にしたマルチディスク装置の場合、ＣＤとＤＶＤに対する種別判別は正常に行なえるが、非対応のＨＤ  ＤＶＤをセットした場合、種別判別することができないためＣＤモードでフォーカスサーボをオン後、トラッキングサーボのオン動作を無駄に繰り返したり、ＤＶＤモードでフォーカスサーボをオン後、トラッキングサーボのオン動作を無駄に繰り返して、ユーザを長く待たせてしまっていた。また、非対応ディスクの種類を判別してユーザに警告することもできなかった。
【０００４】
【特許文献１】特開２００４−２０６７５３号公報
【発明の開示】
【発明が解決しようとする課題】
【０００５】
本発明は上記した従来技術の問題に鑑み、ＣＤ用の波長７８０ｎｍとＤＶＤ用の波長６５０ｎｍのレーザ光を用いて別種の光ディスクを判別可能な光ディスク装置、光ディスク装置の光ディスク種別判別方法を提供することを、その目的とする。
【課題を解決するための手段】
【０００６】
請求項１の発明は、光ビーム波長７８０ｎｍの第１の光ディスク、光ビーム波長６５０ｎｍの第２の光ディスクに対応する第１、第２のモードを含む複数モードに切り換えて共通の対物レンズを通して光ビームを照射し、反射ビームを検出可能な光ピックアップと、対物レンズに対しフォーカスサーボとトラッキングサーボを掛けるサーボ手段と、光ピックアップの出力から反射ビームレベル信号を作成する信号作成手段と、光ディスクの種別を判別する光ディスク種別判別手段と、を備え、光ディスク種別判別手段は、波長７８０ｎｍの光ビームに対する第１、第２の光ディスクと、第１、第２の光ディスク以外の所定の１または複数種の別種の光ディスクの種類別の反射率の分布範囲と光ディスクの種類を対応付けた反射率情報を記憶した記憶手段と、光ピックアップを第１モードに切り換えて波長７８０ｎｍの光ビームを光ディスクに照射させた状態でサーボ手段にフォーカスサーチをさせたときの反射ビームレベル信号のピークから光ディスクの反射率を計測する計測手段と、計測値を記憶手段の反射率情報と比較し、所定の１種類の別種光ディスクのみの分布範囲に入っているときは、当該所定の１種類の別種光ディスクと判別し、所定の１種類の別種光ディスクの分布範囲と第２の光ディスクの分布範囲の重なりのみに入っているときは、光ピックアップを第２のモードに切り換えた状態でサーボ手段に対しフォーカスサーボとトラッキングサーボオン制御をし、失敗したとき当該所定の１種類の別種光ディスクと判別し、所定の１種類の別種光ディスクの分布範囲と第１の光ディスクの分布範囲と第２の光ディスクの分布範囲の重なりに入っているときは、光ピックアップを第１のモードと第２のモードの両方に切り換えてフォーカスサーボとトラッキングサーボオン制御をし、両モードでフォーカスサーボとトラッキングサーボオンが失敗したとき当該所定の１種類の別種光ディスクと判別する判別制御手段と、を含むこと、を特徴としている。
【０００７】
請求項２の発明は、光ビーム波長７８０ｎｍの第１の光ディスク、光ビーム波長６５０ｎｍの第２の光ディスクに対応する第１、第２のモードを含む複数モードに切り換えて共通の対物レンズを通して光ビームを照射し、反射ビームを検出可能な光ピックアップと、対物レンズに対しフォーカスサーボとトラッキングサーボを掛けるサーボ手段と、光ピックアップの出力から反射ビームレベル信号を作成する信号作成手段と、波長７８０ｎｍの光ビームに対する第１、第２の光ディスクと、第１、第２の光ディスク以外の所定の１または複数種の別種の光ディスクの種類別の反射率の分布範囲と光ディスクの種類を対応付けた反射率情報を記憶した記憶手段と、を設けておき、光ピックアップを第１モードに切り換えて波長７８０ｎｍの光ビームを光ディスクに照射させた状態でサーボ手段にフォーカスサーチをさせたときの反射ビームレベル信号のピークから光ディスクの反射率を計測し、計測値を記憶手段の反射率情報と比較し、所定の１種類の別種光ディスクのみの分布範囲に入っているときは、当該所定の１種類の別種光ディスクと判別し、所定の１種類の別種光ディスクの分布範囲と第２の光ディスクの分布範囲の重なりのみに入っているときは、光ピックアップを第２のモードに切り換えた状態でサーボ手段に対しフォーカスサーボとトラッキングサーボオン制御をし、失敗したとき当該所定の１種類の別種光ディスクと判別し、所定の１種類の別種光ディスクの分布範囲と第１の光ディスクの分布範囲と第２の光ディスクの分布範囲の重なりに入っているときは、光ピックアップを第１のモードと第２のモードの両方に切り換えてフォーカスサーボとトラッキングサーボオン制御をし、両モードでフォーカスサーボとトラッキングサーボオンが失敗したとき当該所定の１種類の別種光ディスクと判別するようにしたこと、を特徴としている。
【発明の効果】
【０００８】
本発明によれば、ＣＤとＤＶＤ用のレーザビームを用いてＣＤ、ＤＶＤ以外の規格の異なる別種の光ディスクについても容易に種別判別が可能となる。従って、例えば別種の光ディスクが装置の非対応ディスクであれば、無駄な信号読み取り動作をしなくて済む。また、別種の光ディスクが装置の対応ディスクの場合には、当該別種の光ディスク用のレーザビームを使用することなく、ＣＤとＤＶＤ用のレーザビームだけ用いて速やかに光ディスクの種別判別ができる。
【発明を実施するための最良の形態】
【０００９】
１つの光ピックアップ、共通の対物レンズによりＢＤ、ＤＶＤ、ＣＤの３種類の光ディスクを再生可能とする。青紫系のレーザ発光器によりＢＤ用の波長４０５ｎｍのレーザビームを発生させ、コリメートレンズで平行光束とし１／４波長板により直線偏光から円偏光に変換させ、液晶シャッター式の開口数可変素子を通して対物レンズにより光ディスクに集光させる。開口数可変素子はＢＤモード時、対物レンズの開口数を０．８５とさせる。光ディスクから反射し、対物レンズ、開口数可変素子を通り、１／４波長板により円偏光から直線偏光に変換された反射ビームは第２偏光ビームスプリッタにより進路を９０度曲げられ、カップリングレンズによりＢＤ用の光検出器に集光させる。ＢＤ用の光検出器は、ＢＤ用のＲＦ信号、フォーカスエラー信号、トラッキングエラー信号を作成するのに必な受光ダイオード群を有する。
一方、赤色系の波長６５０ｎｍ、７８０ｎｍのレーザビームを切り換え発光可能な発光ダイオード、ＤＶＤとＣＤの両方のＲＦ信号、フォーカスエラー信号、トラッキングエラー信号を作成するのに必な受光ダイオード群を有するＤＶＤ／ＣＤ用レーザ発光・受光ユニットを設け、ＤＶＤ（ＣＤ）用の波長６５０（７８０）ｎｍのレーザビームを発生させ、カップリングレンズで平行光束とし、第１偏光ビームスプリッタにより進路を９０度曲げて波長４０５ｎｍのレーザビームと同軸とし、１／４波長板により直線偏光から円偏光に変換させ、液晶シャッター式の開口数可変素子を通して対物レンズにより光ディスクに集光させる。開口数可変素子はＤＶＤモード時、対物レンズの開口数を０．６５とさせ、ＣＤモード時、開口数を０．４５とさせる。光ディスクから反射し、対物レンズ、開口数可変素子を通り、１／４波長板により円偏光から直線偏光に変換された反射ビームは波長選択性の有る第２偏光ビームスプリッタを通過し、第１偏光ビームスプリッタで進路を９０度曲げられて、カップリングレンズによりＤＶＤ／ＣＤ用レーザ発光・受光ユニットに集光させる。
【００１０】
ヘッドアンプは切り換えスイッチを介して、ＢＤ用の光検出器から出力された光検出信号（ＢＤモード時）またはＤＶＤ／ＣＤ用発光・受光ユニットから出力された光検出信号（ＤＶＤモード、ＣＤモード時）を選択的に入力し、光ディスクの種別に応じたＲＦ信号、ＲＦ包洛線検波信号ＲＦＥＮＶ、フォーカスエラー信号ＦＥ、トラッキングエラー信号ＴＥを作成する。サーボ回路は、フォーカスエラー信号ＦＥとトラッキングエラー信号ＴＥに基づき光ディスクの種別に応じたフォーカス駆動信号とトラッキング駆動信号を生成し、フォーカスアクチュエータとトラッキングアクチュエータに印加する。
メモリに、光ピックアップからＣＤ用の波長λ１の第１の光ビームをＣＤ、ＤＶＤ、ＢＤ、ＨＤ  ＤＶＤの各種類毎に、同一の種類につき多数枚の光ディスクに照射し合焦させたときのＤＶＤ／ＣＤ用発光・受光ユニットの出力から計測した光ディスク反射率の分布範囲と光ディスクの種類を対応付けた反射率情報を記憶させておく。なお、ＢＤの分布範囲をＰBD（Ｌ）〜ＰBD（Ｈ）、ＨＤ  ＤＶＤの分布範囲をＰHD DVD（Ｌ）〜ＰHD DVD（Ｈ）、ＤＶＤの分布範囲をＰDVD （Ｌ）〜ＰDVD （Ｈ）、ＣＤの分布範囲をＰCD（Ｌ）〜ＰCD（Ｈ）とすると、統計的に、０＜ＰBD（Ｌ）〜ＰBD（Ｈ）＜ＰHD DVD（Ｌ）＜ＰDVD （Ｌ）＜ＰCD（Ｌ）＜ＰHD DVD（Ｈ）＜ＰDVD （Ｈ）＜ＰCD（Ｈ）≒１００％である。
【００１１】
コントローラは、対物レンズに対向する所定箇所に交換して設置された光ディスクの種別判別を行なう際、光ピックアップからＣＤ用の波長７８０ｎｍの光ビームを発射させ、開口数可変素子により対物レンズの開口数をＣＤに対応した０．４５とさせ、切り換えスイッチによりＤＶＤ／ＣＤ用発光・受光ユニットの出力を選択させ、ヘッドアンプとサーボ回路をＣＤモードとし、ＣＤに適合するＲＦ信号、ＲＦＥＮＶ、ＦＥ、ＴＥ、フォーカス駆動信号、トラッキング駆動信号を生成可能とした状態で、サーボ回路に対しフォーカスサーチ制御をし、フォーカスサーチ中のＲＦ信号のピークから光ディスク反射率を計測する。そして、計測値をメモリの内容と比較し、ＢＤのみの分布範囲に入っているときは光ディスクがＢＤと判別し、ＨＤ  ＤＶＤのみの分布範囲に入っているときは光ディスクが非対応ディスクのＨＤ  ＤＶＤと判別する。ＨＤ  ＤＶＤの分布範囲とＤＶＤの分布範囲の重なりのみに入っているときは、光ピックアップ、ヘッドアンプ、サーボ回路に対しＤＶＤモードでフォーカスサーボとトラッキングサーボオン制御をし、失敗したとき非対応光ディスクのＨＤ  ＤＶＤと判別し、成功したときＤＶＤと判別する。ＨＤ  ＤＶＤの分布範囲とＤＶＤの分布範囲とＣＤの分布範囲の重なりに入っているときは、光ピックアップ、ヘッドアンプ、サーボ回路にＣＤモードでフォーカスサーボとトラッキングサーボオン制御をし、成功したときＣＤと判別し、失敗したとき更に光ピックアップ、信号作成手段、サーボ手段にＤＶＤモードでフォーカスサーボとトラッキングサーボオン制御をし、成功したときＤＶＤと判別し、失敗したときＨＤ  ＤＶＤと判別する。ＨＤ  ＤＶＤと判別したときは、「非対応のＨＤ  ＤＶＤです」と警告表示する。
【実施例１】
【００１２】
図１は本発明の実施例に係るマルチディスク再生装置の光ディスク種別判別系の構成を示すブロック図である。
図１において、６０は共通の対物レンズにより所定箇所に交換して配置されるＢＤ、ＤＶＤ、ＣＤの３種類の光ディスク１を再生可能とする光ピックアップである。この内、６１は青紫色系のレーザ発光器であり、ＢＤ用の波長４０５ｎｍのレーザビームを発生させる。波長４０５ｎｍのレーザビームはコリメートレンズ６２で平行光束とされ、第１、第２偏光ビームスプリッタ６３、６４を通過し、１／４波長板６５により直線偏光から円偏光に変換される。更に、液晶シャッター式の開口数可変素子６６により開口数を可変され、対物レンズ６７により光ディスク１に集光される。開口数可変素子６６はＢＤモード時、対物レンズ６７の開口数を０．８５とさせる（図４（１）参照）。光ディスク１から反射し、対物レンズ６７、開口数可変素子６６を通り、１／４波長板６５により円偏光から行きと９０度直交する方向の直線偏光に変換された反射ビームは波長選択性を有する第２偏光ビームスプリッタ６４により進路を９０度曲げられ、カップリングレンズ６８によりＢＤ用の光検出器６９に集光させる。ＢＤ用の光検出器６９は、ＢＤ用のＲＦ信号、フォーカスエラー信号、トラッキングエラー信号を作成するのに必な受光ダイオード群を有する。
【００１３】
７０は赤色系の波長６５０ｎｍ、７８０ｎｍのレーザビームを切り換え発光可能な発光ダイオード、ＤＶＤとＣＤの両方のＲＦ信号、フォーカスエラー信号、トラッキングエラー信号を作成するのに必な受光ダイオード群を有するＤＶＤ／ＣＤ用レーザ発光・受光ユニットであり、ＤＶＤ（ＣＤ）用の波長６５０（７８０）ｎｍのレーザビームはカップリングレンズ７１で平行光束とされ、波長選択性を有する第１偏光ビームスプリッタ６３により進路を９０度曲げて波長４０５ｎｍのレーザビームの進路と同軸とされ、第２偏光ビームスプリッタ６４を通過し、１／４波長板６５により直線偏光から円偏光に変換される。更に、液晶シャッター式の開口数可変素子６６により開口数を可変され、対物レンズ６７により光ディスク１に集光される。開口数可変素子６６はＤＶＤモード時、対物レンズ６７の開口数を０．６５とさせ、ＣＤモード時、開口数を０．４５とさせる（図４（２）、（３）参照）。光ディスク１から反射し、対物レンズ６７、開口数可変素子６６を通り、１／４波長板６５により円偏光から直線偏光に変換されたＤＶＤ（ＣＤ）用の波長６５０（７８０）ｎｍの反射ビームは第１偏光ビームスプリッタ６３により進路を９０度曲げられ、カップリングレンズ７１によりＤＶＤ／ＣＤ用レーザ発光・受光ユニット７０に集光させる。７２ａは対物レンズ６７を光ディスク１の信号面の垂直方向へ変位させるフォーカスアクチュエータ、７２ｂは対物レンズ６７を光ディスク１の半径方向へ変位させるトラッキングアクチュエータである。
【００１４】
８０は光検出器６９、ＤＶＤ／ＣＤ用レーザ発光・受光ユニット７０から択一的に一方の系統の光検出信号出力を選択する切り換えスイッチ、８１はヘッドアンプであり、切り換えスイッチ８０の出力に基づき光ディスク１の種別に対応したＲＦ信号、ＲＦ包洛線信号ＲＦＥＮＶ、フォーカスエラー信号ＦＥ、トラッキングエラー信号ＴＥを作成する。８２はヘッドアンプ８１から入力した光ディスクの種別に応じたフォーカスエラー信号ＦＥとトラッキングエラー信号ＴＥに基づき光ピックアップ６０の対物レンズ６７に設けたフォーカスアクチュエータ７２ａ及びトラッキングアクチュエータ７２ｂを駆動し、フォーカスサーボとトラッキングサーボを掛けるサーボ回路、９０は光ディスク種別判別を含む装置の全体的な制御を行なうコントローラ、９１はメディアタイプ等の表示を行なう表示器である。
【００１５】
９２はメモリであり、光ピックアップからＣＤ用の波長λ１の第１の光ビームをＣＤ、ＤＶＤ、ＢＤ、ＨＤ  ＤＶＤの種類毎に、各種類とも多数枚の光ディスクに照射し合焦させたときのＤＶＤ／ＣＤ用発光・受光ユニットの出力から実測した光ディスク反射率の分布範囲と光ディスクの種類を対応付けてリストにした反射率情報が記憶させてある。なお、ＢＤの反射率分布範囲をＰBD（Ｌ）〜ＰBD（Ｈ）、ＨＤ  ＤＶＤの反射率分布範囲をＰHD DVD（Ｌ）〜ＰHD DVD（Ｈ）、ＤＶＤの反射率分布範囲をＰDVD （Ｌ）〜ＰDVD （Ｈ）、ＣＤの反射率分布範囲をＰCD（Ｌ）〜ＰCD（Ｈ）とすると、統計的に、０＜ＰBD（Ｌ）〜ＰBD（Ｈ）＜ＰHD DVD（Ｌ）＜ＰDVD （Ｌ）＜ＰCD（Ｌ）＜ＰHD DVD（Ｈ）＜ＰDVD （Ｈ）＜ＰCD（Ｈ）≒１００％であり、ＢＤ、ＨＤ  ＤＶＤ、ＤＶＤ、ＣＤの順に反射率分布範囲が高い方にシフトしている。ＢＤの反射率は小さく分布範囲は他の光ディスクと重ならない。ＨＤ  ＤＶＤの反射率分布範囲は、ＰDVD （Ｌ）より小さい部分は他の光ディスクと重なっておらず、ＰDVD （Ｌ）〜ＰCD（Ｌ）の部分がＤＶＤの反射率分布範囲とだけ重なっており、ＰCD（Ｌ）〜ＰHD DVD（Ｈ）の部分がＣＤ及びＤＶＤの分布範囲と重なっている（図３参照）。
【００１６】
図４と図５はコントローラ９０による光ディスク種別判別処理を示すフローチャートであり、以下、これらの図を参照してこの実施例の動作を説明する。
ＢＤ、ＨＤ  ＤＶＤ、ＤＶＤ、ＣＤの内の任意の光ディスクが図１の符号１の如く所定箇所に装てん済であるとして、まずコントローラ９０は各部をＣＤモードとし、ＣＤ用の光ビームを用いて光ディスク１の反射率の計測を行なう（図４のステップＳ１０）。具体的には、ＤＶＤ／ＣＤ用レーザ発光・受光ユニット７０にＣＤに対応した波長７８０ｎｍの光ビームを発射させ、開口数可変素子６６により対物レンズ６７の開口数をＣＤに対応した０．４５とさせ（図２（３）参照）、切り換えスイッチ８０によりＤＶＤ／ＣＤ用レーザ発光・受光ユニット７０の出力を選択させ、ヘッドアンプ８１とサーボ回路８２をＣＤモードとし、ＣＤに適合するＲＦ信号、ＲＦＥＮＶ、ＦＥ、ＴＥ、フォーカス駆動信号、トラッキング駆動信号を生成可能とした状態で、サーボ回路８２に対しフォーカスサーチ指令を与える。フォーカスサーボオン指令を受けたサーボ回路８２はフォーカスアクチュエータ７２ａを三角波信号で駆動する。対物レンズ６７から照射された光ビームが光ディスク１の信号面に合焦したときＲＦ信号がピークとなる。コントローラ９０はフォーカスサーチ中にヘッドアンプ８１からＲＦ信号を入力して、ピーク値を検出し、所定の換算を行なって光ディスク１の反射率ＲＥＦを計測し、内蔵メモリに記憶する。
【００１７】
次に、ＲＥＦをメモリ９２に記憶された反射率情報と比較する。ＰBD（Ｌ）≦ＲＥＦ≦ＰBD（Ｈ）であればＢＤと確定判別し、表示器９１に判別したメディアタイプである「ＢＤ」の表示等をして処理を終える（ステップＳ１１でＹＥＳ、Ｓ１２、Ｓ１３）。ＰHD DVD（Ｌ）≦ＲＥＦ≦ＰDVD （Ｌ）であればＨＤ  ＤＶＤと確定判別して「非対応のＨＤ  ＤＶＤです」等、メディアタイプを含むエラー表示をして処理を終える（ステップＳ１４でＹＥＳ、Ｓ１５、Ｓ１６）。ＰDVD （Ｌ）≦ＲＥＦ≦ＰCD（Ｌ）であればＨＤ  ＤＶＤまたはＤＶＤなので、ＤＶＤモードに切り換えてフォーカスサーボとトラッキングサーボをオンさせるピックアップサーボオン制御をする（ステップＳ１７、Ｓ１８、Ｓ１９）。具体的には、ＤＶＤ／ＣＤ用レーザ発光・受光ユニット７０にＤＶＤに対応した波長６５０ｎｍの光ビームを発射させ、開口数可変素子６６により対物レンズ６７の開口数をＤＶＤに対応した０．６とさせ（図２（２）参照）、切り換えスイッチ８０によりＤＶＤ／ＣＤ用レーザ発光・受光ユニット７０の出力を選択させ、ヘッドアンプ８１とサーボ回路８２をＤＶＤモードとし、ＤＶＤに適合するＲＦ、ＲＦＥＮＶ、ＦＥ、ＴＥ、フォーカス駆動信号、トラッキング駆動信号を生成可能とした状態で、サーボ回路８２に対しフォーカスサーボオン指令を与える。
【００１８】
フォーカスサーボオン指令を受けたサーボ回路８２はフォーカスアクチュエータ７２ａを三角波信号で駆動し、ＦＥが所定の一定以上の振幅を経てゼロクロスしたときフォーカスサーボ系を閉じてオンし、フォーカスサーボオン信号をコントローラ９０に出力し、以降、ＦＥに基づき作成した駆動信号でフォーカスアクチュエータ７２ａを駆動しフォーカス誤差を最小にさせる。コントローラ９０はフォーカスサーボオン信号を入力すると、続いてトラッキングサーボオン指令をサーボ回路８２に与える（ステップＳ１８）。該指令に基づきサーボ回路８２はトラッキングサーボオン動作を行なう。そして、トラッキングサーボのオンが成功したときトラッキングサーボオン信号をコントローラ９０に出力する。コントローラ９０はトラッキングサーボオン指令を与えてから一定時間内にトラッキングサーボのオンが成功すれば、ＤＶＤと判別し（ステップＳ２０、Ｓ２１）、成功しなければＨＤ  ＤＶＤと判別する（ステップＳ２０、Ｓ１５）。
【００１９】
ＰCD（Ｌ）≦ＲＥＦ≦ＰHD DVD（Ｌ）であればＨＤ  ＤＶＤまたはＤＶＤまたはＣＤなので、ＣＤモードに切り換えてフォーカスサーボとトラッキングサーボをオンさせるピックアップサーボオン制御をする（図５のステップＳ３０、Ｓ３１、Ｓ３２）。具体的には、ＤＶＤ／ＣＤ用レーザ発光・受光ユニット７０にＣＤに対応した波長７８０ｎｍの光ビームを発射させ、開口数可変素子６６により対物レンズ６７の開口数をＤＶＤに対応した０．４５とさせ（図２（３）参照）、切り換えスイッチ８０によりＤＶＤ／ＣＤ用レーザ発光・受光ユニット７０の出力を選択させ、ヘッドアンプ８１とサーボ回路８２をＣＤモードとし、ＣＤに適合するＲＦ、ＲＦＥＮＶ、ＦＥ、ＴＥ、フォーカス駆動信号、トラッキング駆動信号を生成可能とした状態で、サーボ回路８２に対しフォーカスサーボオン指令を与える。
【００２０】
フォーカスサーボオン指令を受けたサーボ回路８２はフォーカスアクチュエータ７２ａを三角波信号で駆動し、ＦＥが所定の一定以上の振幅を経てゼロクロスしたときフォーカスサーボ系を閉じてオンし、フォーカスサーボオン信号をコントローラ９０に出力する。コントローラ９０はフォーカスサーボオン信号を入力すると、続いてトラッキングサーボオン指令をサーボ回路８２に与え（ステップＳ３２）、該指令に基づきサーボ回路８２はトラッキングサーボオン動作を行なう。そして、トラッキングサーボのオンが成功したときトラッキングサーボオン信号をコントローラ９０に出力する。コントローラ９０はトラッキングサーボオン指令を与えてから一定時間内にトラッキングサーボのオンが成功すれば、ＣＤと判別し（ステップＳ３３、Ｓ３４）、成功しなければステップＳ１８に移行し、ＤＶＤモードにより、フォーカスサーボをオンさせたのち更にトラッキングサーボをオンさせ、トラッキングサーボオンに成功したときＤＶＤと判別し（ステップＳ１９、Ｓ２０、Ｓ２１）、成功しなかったときＨＤ  ＤＶＤと判別する（ステップＳ１５、Ｓ１６）。
【００２１】
ＰHD DVD（Ｈ）≦ＲＥＦ≦ＰDVD （Ｈ）であればＤＶＤまたはＣＤなので、ＣＤモードに切り換えてフォーカスサーボをオンさせ、続いてトラッキングサーボをオンさせる（ステップＳ３５、Ｓ３６、Ｓ３７）。コントローラ９０はトラッキングサーボオン指令を与えてから一定時間内にトラッキングサーボのオンが成功すれば、ＣＤと判別し（ステップＳ３８、Ｓ３４）、成功しなければＤＶＤと判別する（ステップＳ２１）。
ＰDVD （Ｈ）≦ＲＥＦ≦ＰCD（Ｈ）であればＣＤと判別する（ステップＳ３９、Ｓ３４）。ステップＳ３９でＮＯとなったときは、ディスク無しと判別する（ステップＳ４０）。
【００２２】
この実施例によれば、装置が再生可能なＢＤ、ＤＶＤ、ＣＤの光ディスクがセットされた場合に正しく種別判別できるほか、ＨＤ  ＤＶＤがセットされた場合にはＨＤ  ＤＶＤ用の光ビームを用いなくても非対応ディスクであること及びその種類を速やかに判別して、ユーザに種類とともに非対応ディスクである旨警告できる。
【００２３】
なお、上記した実施例では、ＢＤ／ＣＤ／ＤＶＤの３種類の光ディスクに対応した光ディスク装置を例に挙げたが、ＣＤ／ＤＶＤの２種類の光ディスクに対応した光ディスク装置であっても、ＢＤとＨＤ  ＤＶＤに対し種類を含めて非対応ディスクの判別ができる。また、ＨＤ  ＤＶＤ／ＤＶＤ、ＣＤに対応した光ディスク装置において、ＣＤ用とＤＶＤ用のレーザビームを用いて、ＨＤ  ＤＶＤ、ＤＶＤ、ＣＤの光ディスク種別判別ができる。
【産業上の利用可能性】
【００２４】
本発明は、ＣＤとＤＶＤを含む多種類の光ディスクに対応した光ディスク再生装置、光ディスク記録・再生装置などに適用できる。
【図面の簡単な説明】
【００２５】
【図１】本発明に係るマルチディスク再生装置の光ディスク種別判別系の構成を示すブロック図である（実施例１）。
【図２】図１中の開口数可変素子の動作説明図である。
【図３】図１中のメモリに記憶される光ディスクの種類別の反射率の分布範囲を表す反射率情報の説明図である。
【図４】図１中のコントローラの光ディスク種別判別処理を示すフローチャートである。
【図５】図１中のコントローラの光ディスク種別判別処理を示すフローチャートである。
【符号の説明】
【００２６】
１  光ディスク
６０  光ピックアップ
６１  レーザ発光器
６２  コリメートレンズ
６３  第１偏光ビームスプリッタ
６４  第２偏光ビームスプリッタ
６５  １／４波長板
６６  開口数可変素子
６７  対物レンズ
６８、７１  カップリングレンズ
６９  光検出器
７０  ＤＶＤ／ＣＤ用レーザ発光・受光ユニット
７２ａ  フォーカスアクチュエータ
７２ｂ  トラッキングアクチュエータ
８０  切り換えスイッチ
８１  ヘッドアンプ
８２  サーボ回路
９０  コントローラ
９１  表示器
９２  メモリ
【図１】
2008041113.tif 000003
【図２】
2008041113.tif 000004
【図３】
2008041113.tif 000005
【図４】
2008041113.tif 000006
【図５】
2008041113.tif 000007